(57)【特許請求の範囲】
【請求項１】
一端側と他端側との間で光信号を相互に伝送する光コネクタモジュールであって、
一端側から他端側へ光信号を伝送する複数の送信用光ファイバと、他端側から一端側へ光信号を伝送する複数の受信用光ファイバと、を有する光ケーブルと、
単一の基板の同一表面上に、前記送信用光ファイバおよび前記受信用光ファイバにそれぞれ光結合される発光素子および受光素子が形成されたコネクタ基板と、を有し、
一端側および他端側において、複数の前記送信用光ファイバおよび複数の前記受信用光ファイバは一列に整列された状態で前記コネクタ基板に取り付けられており、
一端と他端のチャンネルの並び順を揃えるように、複数の前記送信用光ファイバおよび複数の前記受信用光ファイバはそれぞれ、一端側から他端側との間でその並び順が異なるように捻られて前記光コネクタに取り付けられていることを特徴とする光コネクタモジュール。
【請求項２】
複数の前記送信用光ファイバおよび複数の前記受信用光ファイバはそれぞれ、一端側から他端側との間でその並び順が反転するように捻られて前記光コネクタに取り付けられていることを特徴とする請求項１記載の光コネクタモジュール。
【請求項３】
複数の前記送信用光ファイバおよび複数の前記受信用光ファイバは双方ともに、一方側で捻られている、または、複数の前記送信用光ファイバおよび複数の前記受信用光ファイバの一方は一方側で捻られて複数の前記送信用光ファイバおよび複数の前記受信用光ファイバの他方は他方側で捻られていることを特徴とする請求項１または２に記載の光コネクタモジュール。
【請求項４】
複数の前記送信用光ファイバと複数の前記受信用光ファイバは、所定方向に第１のピッチをもって整列された状態で前記光ケーブルに収容されるとともに、前記所定方向に前記第１のピッチより広い第２のピッチをもって一列に整列された状態で前記コネクタ基板に固定されており、
並び順が反転するように捻られた複数の前記送信用光ファイバと複数の前記受信用光ファイバは、前記第１のピッチをもって整列された領域において外側に位置する前記送信用光ファイバおよび前記受信用光ファイバが内側に捻られて前記コネクタ基板に固定され、
前記第１のピッチをもって整列された領域において外側に位置する前記送信用光ファイバおよび前記受信用光ファイバは、内側に位置する前記送信用光ファイバおよび前記受信用光ファイバを乗り越える際に前記所定方向に垂直な方向に向けて湾曲部が形成されていることを特徴とする請求項１から３のいずれか一項に記載の光コネクタモジュール。
【請求項５】
複数の前記送信用光ファイバと複数の前記受信用光ファイバについて、前記第１のピッチをもって整列された領域と、前記第２のピッチをもって整列された領域は、前記所定方向に垂直な方向にオフセットされており、前記湾曲部は当該オフセットされた方向に向けて形成されていることを特徴とする請求項４に記載の光コネクタモジュール。
【発明の詳細な説明】
【技術分野】
【０００１】
本発明は、電子機器間を光ケーブルで接続する光コネクタモジュールに関する。
【背景技術】
【０００２】
電子機器間の信号伝達速度を向上させるために、電子機器間を光接続することが知られている。このために、例えば特許文献１のように電気信号を光信号に変換する光コネクタモジュールを用いて電子機器間を配線することが知られている。このような光コネクタモジュールは、複数の光ファイバを含む光ケーブルと、光信号と電気信号を相互に変換する一対のコネクタとを備えている。
【先行技術文献】
【特許文献】
【０００３】
【特許文献１】特開平１０−３２５４５号公報
【発明の概要】
【発明が解決しようとする課題】
【０００４】
ところで、上述のような光コネクタモジュールのコネクタにおいては、複数の受発光素子が同一基板の同一表面上に搭載されている。
このような光コネクタモジュールにおいて、同一のコネクタを、光ケーブルの両端にそのまま取り付けると、一端のコネクタのチャネルの並び順と他端のコネクタのチャネルの並び順とが変わってしまう。例えば一方が「送信１、送信２、受信１、受信２」の場合、他方が「送信２、送信１、受信２、受信１」となり、チャネル１とチャネル２が逆になる。
そこで従来は、相異なる二種類のコネクタを用意し、それぞれをコネクタの一端および他端に取り付けていた。このため、異なる形状のコネクタを作成しなければならず、製造コストが嵩む要因の一つとなっていた。また、二種類のコネクタを区別して光ケーブルに取り付ける必要があり、組立作業が煩雑となっていた。
【０００５】
そこで本発明は、組立が容易で製造コストの低い光コネクタモジュールを提供することを目的とする。
【課題を解決するための手段】
【０００６】
上記課題を解決することのできる本発明の光コネクタモジュールは、一端側と他端側との間で光信号を相互に伝送する光コネクタモジュールであって、
一端側から他端側へ光信号を伝送する複数の送信用光ファイバと、他端側から一端側へ光信号を伝送する複数の受信用光ファイバと、を有する光ケーブルと、
単一の基板の同一表面上に、前記送信用光ファイバおよび前記受信用光ファイバにそれぞれ光結合される発光素子および受光素子が形成されたコネクタ基板と、を有し、
一端側および他端側において、複数の送信用光ファイバおよび複数の受信用光ファイバは、一列に整列された状態で前記コネクタ基板に取り付けられており、
複数の前記送信用光ファイバおよび複数の前記受信用光ファイバはそれぞれ、一端側から他端側との間でその並び順が異なるように捻られて前記光コネクタに取り付けられていることを特徴とする。
この場合、複数の前記送信用光ファイバおよび複数の前記受信用光ファイバはそれぞれ、一端側から他端側との間でその並び順が反転するように捻られて前記光コネクタに取り付けられていることが好ましい。
【０００７】
本発明の光コネクタモジュールにおいて、複数の前記送信用光ファイバおよび複数の前記受信用光ファイバは双方ともに、一方側で捻られている、または、一方側および他方側の相異なる箇所で捻られていてもよい。
【０００８】
本発明の光コネクタモジュールにおいて、  複数の前記送信用光ファイバと複数の前記受信用光ファイバは、所定方向に第１のピッチをもって整列された状態で前記光ケーブルに収容されるとともに、前記所定方向に前記第１のピッチより広い第２のピッチをもって一列に整列された状態で前記コネクタ基板に固定されており、
並び順が反転するように捻られた複数の前記送信用光ファイバと複数の前記受信用光ファイバは、前記第１のピッチをもって整列された領域において外側に位置する前記送信用光ファイバおよび前記受信用光ファイバが内側に捻られて前記コネクタ基板に固定され、
前記第１のピッチをもって整列された領域において外側に位置する前記送信用光ファイバおよび前記受信用光ファイバは、内側に位置する前記送信用光ファイバおよび前記受信用光ファイバを乗り越える際に前記所定方向に垂直な方向に向けて湾曲部が形成されていてもよい。
【０００９】
本発明の光コネクタモジュールにおいて、
複数の前記送信用光ファイバと複数の前記受信用光ファイバについて、前記第１のピッチをもって整列された領域と、前記第２のピッチをもって整列された領域は、前記所定方向に垂直な方向にオフセットされており、前記湾曲部は当該オフセットされた方向に向けて形成されていてもよい。
【発明の効果】
【００１０】
本発明の光コネクタモジュールによれば、複数の送信用光ファイバと複数の受信用光ファイバのそれぞれが一端側から他端側との間でその並び順が反転するように捻られているので、一端側と他端側とでチャネルの並び順が反転する。したがって、ケーブルの両端に同一のコネクタ基板を用いることができるので、製造コストを低減することができる。また、反転するように捻るという簡単な手法で、一端と他端のチャネルの並び順を揃えることができるので、光コネクタモジュールの組立が容易であり、製造コストを低減することができる。
【図面の簡単な説明】
【００１１】
【図１】（Ａ）は本発明の第１実施形態にかかる光コネクタモジュールの全体斜視図であり、（Ｂ）は光ケーブルの断面図である。
【図２】コネクタの内部を示す断面図である。
【図３】コネクタ基板の平面図である。
【図４】光コネクタモジュールの一部を示す平面図である。
【図５】光ファイバ心線の捻り状態を示す平面図である。
【図６】本発明の第２実施形態にかかる光コネクタモジュールの一部を示す平面図である。
【発明を実施するための形態】
【００１２】
（第１実施形態）
以下、本発明に係る第１実施形態の光コネクタモジュールを、図面を参照して説明する。
図１（Ａ）は本発明の第１実施形態にかかる光コネクタモジュール１０の全体斜視図であり、図１（Ｂ）は光ケーブル２０の断面図である。図１（Ａ）に示したように、本実施形態に係る光コネクタモジュール１０は、光ケーブル２０と、光ケーブル２０の一端側および他端側にそれぞれ取り付けられるコネクタ３０Ａ，３０Ｂとを有する。
【００１３】
この光コネクタモジュール１０は、信号（データ）の伝送に用いることができる。例えば、光コネクタモジュール１０は接続先のパソコンやモニタなどといった電子機器に電気的に接続され、入出力される電気信号を光信号に変換して、一端側と他端側との間で光信号を相互に高速で伝送する。なお、以下の説明においては、一端側と他端側を特に区別する場合を除き、コネクタ３０Ａ，３０Ｂは、単にコネクタ３０と呼ぶ。
【００１４】
図１（Ｂ）に示したように、光ケーブル２０は、その横断面で見た中央に、光ファイバテープ心線２１を有する。光ファイバテープ心線２１は、複数（本例では４本）の光ファイバ心線（光ファイバ）２２を平面上に並列させて被覆樹脂でテープ状に束ねられて一体化されたものである。光ファイバテープ心線２１は、内部被覆インナーチューブ２３の内側に収容されている。即ち、光ケーブル２０内部において、各光ファイバ２２は第１のピッチ（例えば１２５μｍピッチ）をもって整列されている。このように、光ケーブル２０に収容される複数の光ファイバは、所定の配列およびピッチをもって配列が規定されるよう、テープ状に束ねられて一体化されていることが好ましい。
【００１５】
インナーチューブ２３の周囲には抗張力繊維２４１の束を沿わせてなる介在層２４が設けられている。介在層２４の外周には複数本の金属素線からなる金属層２５が設けられている。金属層２５の外周には絶縁樹脂からなる外被２６が設けられている。さらに編組２４および外部被覆２５で覆われている。
【００１６】
図１（Ａ）に示したように、コネクタ３０は、ハウジング３１と、ハウジング３１の先端側（光ケーブル２０と反対側）に設けられる電気入出力部３２とを備えている。電気入出力部３２は、外部機器（パソコンなど）に接続されて、外部機器と光コネクタモジュール１０との間で電気信号を入出力する。この電気入出力部３２は、ハウジング３１の先端部から先端側に突出するように設けられている。
【００１７】
図２は、コネクタ３０の内部を示す断面図である。図２に示したように、コネクタ３０は、ハウジング３１に収容されるコネクタ基板３３を有する。ハウジング３１は、外側に矩形断面の樹脂ハウジング３１ａを有し、樹脂ハウジング３１ａの内側に矩形断面の金属ハウジング３１ｂを有する。金属ハウジング３１ｂの内部空間Ｓには、コネクタ基板３３が収容されている。コネクタ基板３３は放熱シート３７を介して金属ハウジング３１ｂに取り付けられている。
【００１８】
図３は、コネクタ基板３３の平面図である。図３に示したように、電気入出力部３２は、複数の金属端子３２ａを有する。この金属端子３２ａは、コネクタ基板３３の先端側に半田付けされている。
【００１９】
図２および図３に示したように、コネクタ基板３３の実装面３３ａには、制御用半導体３５と、受発光素子３６とが搭載されている。受発光素子３６は、電気信号に応じて光信号を発する発光素子３６ａ１，３６ａ２や、光信号に応じて電気信号を発する受光素子３６ｂ１，３６ｂ２である。なお以降の説明において、特に発光素子３６ａ１，３６ａ２と受光素子３６ｂ１，３６ｂ２とを区別しない場合には、単に受発光素子３６と呼ぶ。
【００２０】
受発光素子３６は、複数（ここでは２つ）の発光素子３６ａ１，３６ａ２と、複数（ここでは２つ）の受光素子３６ｂ１，３６ｂ２とを含んで構成されている。発光素子３６ａ１，３６ａ２及び受光素子３６ｂ１，３６ｂ２は、コネクタ基板３３において、実装面３３ａの光ケーブル２０側に一列に並んで配置されている。また、２つの発光素子３６ａ１，３６ａ２は実装面３３ａのうち図３の上側、２つの受光素子３６ｂ１，３６ｂ２は実装面３３ａのうち図３の下側に設けられている。
【００２１】
発光素子３６ａ１，３６ａ２としては、例えば、発光ダイオード（ＬＥＤ：Light Emitting Diode）、レーザダイオード（ＬＤ：Laser Diode）、面発光レーザ（ＶＣＳＥＬ：Vertical Cavity Surface Emitting LASER）などを用いることができる。受光素子３６ｂ１，３６ｂ２としては、例えば、フォトダイオード（ＰＤ：Photo Diode）などを用いることができる。
【００２２】
制御用半導体３５は、受発光素子３６ａ１，３６ａ２を駆動する駆動ＩＣ（Integrated Circuit）と受光素子３６ｂ１，３６ｂ２の出力電流を増幅するＴＩＡ（Transimpedance Amplifier）がパッケージ化された制御回路３５ａや、波形整形器であるＣＤＲ（Clock Data Recovery）装置３５ｂなどから構成される。
【００２３】
図２および図３に示したように、受発光素子３６はレンズアレイ部品４１を介して光ケーブル２０の光ファイバ心線２２と光学的に接続されている。レンズアレイ部品４１は、コネクタ基板３３の実装面３３ａに、受発光素子３６及び制御回路３５ａを覆うように配置されている。前述したように、複数の受発光素子３６が単一のコネクタ基板３３の同じ実装面３３ａ上に形成されているため、単一のレンズアレイ部品４１を搭載するだけで、複数の受発光素子３６が一括して光結合できるようにされている。
【００２４】
レンズアレイ部品４１は、透明樹脂からなる部材である。レンズアレイ部品４１は図２に示したように、ファイバ支持部４２から露出された光ファイバ心線２２の端面に対向する複数のファイバ側レンズ部４１ａと、受発光素子３６と対向する複数の素子側レンズ部４１ｂと、ファイバ側レンズ部４１ａと素子側レンズ部４１ｂとを光学的に接続する反射面４１ｃとを有する。複数のファイバ側レンズ部４１ａと素子側レンズ部４１ｂはそれぞれ、レンズアレイ部品４１の幅方向に沿ってアレイ状に配列されており、反射面４１ｃもレンズアレイ部品４１の上面に幅方向に沿って形成されている。
【００２５】
発光素子３６ａ１，３６ａ２において発光した光は、素子側レンズ部４１ｂに入射し、反射面４１ｃによって反射され、ファイバ側レンズ部４１ａによって光ファイバ心線２２に光結合される。また、光ファイバ心線２２の端面から出射した光は、対応するファイバ側レンズ部４１ａからレンズアレイ部品４１に入射し、反射面４１ｃによって反射され、素子側レンズ部４１ｂによって受光素子３６ｂ１，３６ｂ２に光結合される。このようにして、複数の光ファイバ心線２２と、受発光素子３６とは、レンズアレイ部品４１を介して光学的に接続されている。
【００２６】
ファイバ支持部４２は、光ケーブル２０の端部から露出された光ファイバ心線２２を支持し、光ファイバ心線２２とレンズアレイ部品４１とを光接続する。このファイバ支持部４２では、光ファイバ心線２２が光ファイバテープ心線２１から単心に分離され、一列に整列された状態で支持されている。このファイバ支持部４２がコネクタ基板３３に取り付けられることで、光ファイバ心線２２が一列に整列された状態でコネクタ基板３３に取り付けられる。
【００２７】
複数本の光ファイバ心線２２は、所定方向に第１のピッチで配列された状態で光ケーブル２０の内部に収容されている。これらの光ファイバ心線２２は、ファイバ支持部４２において、第１のピッチより大きな第２のピッチに広げられた状態で一列に整列され、コネクタ基板３３に固定されている。換言すれば、複数本の光ファイバ心線２２は、ファイバ支持部４２においてピッチが変換されている。これにより複数本の光ファイバ心線２２は、受発光素子３６の配列に合わせて形成されたレンズアレイ部品４１の各レンズ部４１ａ，４１ｂの位置に対応して、各光ファイバ心線２２の取り付け位置が調整される。
【００２８】
なお、複数本の光ファイバ心線２２の第２のピッチは必ずしも互いに等しい必要はない。即ち、第１のピッチより大きいピッチで配列された受発光素子３６およびレンズアレイ部品４１の各レンズ部４１ａ，４１ｂのピッチに応じて、第２のピッチが設定される。
【００２９】
本実施形態においては、一列に配列された発光素子３６ａ１，３６ａ２の間隔は２５０μｍ、受光素子３６ｂ１，３６ｂ２の間隔も２５０μｍ、発光素子３６ａ２と受光素子３６ｂ１の間隔は３７５μｍに設定されている。したがって、光ファイバ心線２２ａ，２２ｂ（図４参照）間の第２のピッチは２５０μｍ、光ファイバ心線２２ｂ，２２ｃ間の第２のピッチは３７５μｍ、光ファイバ心線２２ｃ，２２ｄ間の第２のピッチは２５０μｍに設定されている。これに対して光ファイバ心線２２ａ〜２２ｄの第１のピッチは、第２のピッチより小さい１２５μｍに設定されている。
ファイバ支持部４２には、光ファイバ心線２２と同じか僅かに大きい径の貫通穴が設けられており、光ファイバ心線２２はこの貫通穴に挿入されて固定されている。このファイバ支持部４２は、光ファイバ心線２２の端面がファイバ側レンズ部４１ａに正対するように、レンズアレイ部品４１に対して位置決めされている。
【００３０】
また、光ケーブル２０の両端では、外部被覆２５が除去され、また、編組２４が剥かれて光ファイバテープ心線２１が露出されている。また、剥かれた編組２４が、コネクタ３０に設けられた固定部３４に固定されることにより、光ケーブル２０がコネクタ３０に対して固定されている。
【００３１】
また、本実施形態に係る光コネクタモジュール１０では、図２に示すように、ハウジング３１に固定された光ケーブル２０の端部における光ファイバ心線２２の位置に対して、ファイバ支持部４２に保持された光ファイバ心線２２の位置が、光ファイバ心線２２の配列方向に直交する方向にオフセットされている。すなわち、図２の例で言えば、第１のピッチで配列されている光ケーブル２０の端部における光ファイバ心線２２の位置が、第２のピッチで配列されているファイバ支持部４２に保持された光ファイバ心線２２の位置よりもコネクタ基板３３側にオフセットされている。このため、光ファイバ心線２２は、内部空間Ｓ内に、光ケーブル２０の端部からファイバ支持部４２まで湾曲した状態で配置されている。
【００３２】
このように構成されたコネクタ３０によれば、例えば電気入出力部３２から電気信号が入力されると、電気信号は金属端子３２ａからＣＤＲ装置３５ｂと制御回路３５ａを介して発光素子３６ａ１，３６ａ２に入力され、発光素子３６は電気信号に応じて光信号を光ファイバ心線２２に発信する。逆に、光ファイバ心線２２から光信号が入力されると、受光素子３６ｂ１，３６ｂ２は光信号に応じた電気信号を発し、この電気信号は制御回路３５ａとＣＤＲ装置３５ｂを介して金属端子３２ａに入力され、電気入出力部３２から電気信号が出力される。
【００３３】
次に、図４を用いてコネクタ３０と光ケーブル２０の接続状態について説明する。
まず、光コネクタモジュール１０の一方および他端に接続される外部機器のコネクタは同一規格の下で設計され、同一形状とされているので、両端のコネクタの端子の配列は反転されている。したがって、図示の例で言えば、一端側で上から第一入力端子Ｉｎ１、第二入力端子Ｉｎ２、第一出力端子Ｏｕｔ１、第二出力端子Ｏｕｔ２と順で配列されており、他端側で上から第二出力端子Ｏｕｔ２、第一出力端子Ｏｕｔ１、第二入力端子Ｉｎ２、第一入力端子Ｉｎ１の順で配列されている。また、第一入力端子Ｉｎ１からの信号は第一出力端子Ｏｕｔ１に伝達され、第二入力端子Ｉｎ２からの信号は第二出力端子Ｏｕｔ２に伝達されるように決められている。
【００３４】
図４に示したように、本実施形態の光コネクタモジュール１０は、外部機器に合わせて、送信側の２チャネルと受信側の２チャネルの合計４チャネルを備えている。
送信側のチャネルは、一端側の信号を他端側へ送信するチャネルである。送信側のチャネルは、第１チャネルと第２チャネルとから構成されている。
【００３５】
図４に示したように、第１チャネルにおいて、一端側の第一入力端子Ｉｎ１から電気信号が入力され、一端側のコネクタ３０Ａの発光素子３６ａ１で光信号に変換されて光ファイバ心線２２ａを伝送され、他端側のコネクタ３０Ｂの受光素子３６ｂ１で電気信号に変換されて、他端側の第一出力端子Ｏｕｔ１に出力される。
【００３６】
第２チャネルにおいて、一端側の第二入力端子Ｉｎ２から電気信号が入力され、一端側のコネクタ３０Ａの発光素子３６ａ２で光信号に変換されて光ファイバ心線２２ｂを伝送され、他端側のコネクタ３０Ｂの受光素子３６ｂ２で電気信号に変換されて、他端側の第二出力端子Ｏｕｔ２に出力される。
【００３７】
受信側のチャネルは、他端側からの信号を一端側で受信するチャネルである。受信側のチャネルは、第３チャネルと第４チャネルとから構成されている。
【００３８】
第３チャネルにおいて、他端側の第一入力端子Ｉｎ１から電気信号が入力され、他端側のコネクタ３０Ｂの発光素子３６ａ１で光信号に変換されて光ファイバ心線２２ｃを伝送され、一端側の第一受光素子３６ｂ１で電気信号に変換され、一端側の第一出力端子Ｏｕｔ１に出力される。
【００３９】
第４チャネルにおいて、他端側の第二入力端子Ｉｎ２から電気信号が入力され、他端側のコネクタ３０Ｂの発光素子３６ａ２で光信号に変換されて光ファイバ心線２２ｄを伝送され、一端側の第二受光素子３６ｂ２で電気信号に変換され、一端側の第二出力端子Ｏｕｔ２に出力される。
【００４０】
ところで、図４に示したように、一端側のコネクタ３０Ａの受発光素子３６における発光素子３６ａ１，３６ａ２および受光素子３６ｂ１，３６ｂ２の配列は、光ケーブル２０から見て右から順に、発光素子３６ａ１，発光素子３６ａ２，受光素子３６ｂ１，受光素子３６ｂ２とされている。また、他端側のコネクタ３０Ｂにおいても、発光素子３６ａ１，３６ａ２および受光素子３６ｂ１，３６ｂ２の配列は、光ケーブル２０側から見て右から順に、発光素子３６ａ１，発光素子３６ａ２，受光素子３６ｂ１，受光素子３６ｂ２とされている。
このように、一端側のコネクタ３０Ａと他端側のコネクタ３０Ｂは、同じコネクタで構成されており、一端側のコネクタ３０Ａと他端側のコネクタ３０Ｂは、水平面内で回転対称である。
【００４１】
また、光ファイバテープ心線２１では、光ファイバ心線２２ａ，２２ｂ，２２ｃ，２２ｄがこの順に一列に整列されている。したがって、図４に示したように、一端側のコネクタ３０Ａに対して右から順に光ファイバ心線２２ａ，２２ｂ，２２ｃ，２２ｄとなるように光ファイバテープ心線２１を配置した場合、複数の光ファイバ心線２２を互いに並列させたまま他端側のコネクタ３０Ｂと接続すると、定められた通りに外部機器間を接続することができない。
例えば、一端側の第一入力端子Ｉｎ１の信号が他端側で第二出力端子Ｏｕｔ２で出力され、一端側の第二入力端子Ｉｎ２の信号が他端側で第一出力端子Ｏｕｔ１で出力されてしまう。つまり、第一入力端子Ｉｎ１からの信号が第一出力端子Ｏｕｔ１に伝達されない。
【００４２】
そこで、図４に示したように、他端側において、固定部３４とファイバ支持部４２との間で送信用の光ファイバ心線２２ａ，２２ｂが、接続方向から見て１８０度捻られて、光ファイバ心線２２ａと光ファイバ心線２２ｂの位置が入れ替えられている。
【００４３】
同様に、他端側における固定部３４とファイバ支持部４２との間で受信用光ファイバ２２ｃ，２２ｄが捻られて、光ファイバ心線２２ｃと光ファイバ心線２２ｄの位置が入れ替えられている。
【００４４】
このように位置が入れ替えられた後、光ファイバ心線２２ａ〜２２ｄの先端は一列に整列された状態で、ファイバ支持部４２を介してコネクタ基板３３に取り付けられている。
【００４５】
したがって、一端側では光ファイバ心線２２ａ、２２ｂ、２２ｃ、２２ｄの順に配置されていた光ファイバ心線２２は、他端側では、光ファイバ心線２２ｂ、２２ａ、２２ｄ、２２ｃの順に配置される。これにより、第１チャネルの信号を出力すべき光ファイバ心線２２ａは他端側で受光素子３６ｂ１に光結合され、第２チャネルの信号を出力すべき光ファイバ心線２２ｂは他端側で受光素子３６ｂ２に光結合され、第３チャネルの信号を受信すべき光ファイバ心線２２ｃは他端側で発光素子３６ａ１に光結合され、第４チャネルの信号を受信すべき光ファイバ心線２２ｄは他端側で受光素子３６ｂ２に光結合される。
【００４６】
なお、他端側で光ファイバ心線２２ａ〜２２ｄを捻る際に、図５に示したように、光ファイバテープ心線２１において中心側に位置する光ファイバ心線２２ｂは、外側に捻られて受光素子３６ｂ２に接続される。この際に、光ファイバ心線２２ｂは、並列に配線されている。
【００４７】
また、光ファイバテープ心線２１において外側に位置する光ファイバ心線２２ａは、内側に捻られて受光素子３６ｂ１に接続される。この際に、光ファイバ心線２２ａは、光ファイバ心線２２ｂを乗り越える際に曲げられて、湾曲部２６が形成されている。
【００４８】
ここで、光ファイバテープ心線２１における光ファイバ心線２２ａ，２２ｂ相互の間隔（第１のピッチ）は、ファイバ支持部４２における光ファイバ心線２２ａ，２２ｂ相互の間隔（第２のピッチ）よりも狭い。このため、他端側で光ファイバテープ心線２１からファイバ支持部４２に向かって光ファイバ心線２２ａ，２２ｂの双方を直線的に接続した場合、ファイバ支持部４２において外側に位置する光ファイバ心線２２ｂの光路長がファイバ支持部４２において内側に位置する光ファイバ心線２２ａの光路長よりも長くなる。
【００４９】
そこで、図５に示したように光ファイバ心線２２ａを湾曲させて配線させることにより、湾曲部２６の分だけ光ファイバ心線２２ａが長くなり、光ファイバ心線２２ｂと光ファイバ心線２２ａの長さの差が縮小されている。これにより、複数の光ファイバ心線２２ａ〜２２ｄ間における光路長差が縮小され、チャネル間における信号の到着するタイミングが異なる現象（スキュー）の発生が抑制され、その結果、光コネクタモジュール１０の伝送品質が向上されている。
【００５０】
同様に、光ファイバテープ心線２１において中心側に位置する光ファイバ心線２２ｃは、外側に捻られて直線的に発光素子３６ａ１に接続される。また、光ファイバテープ心線２１において外側に位置する光ファイバ心線２２ｄは、内側に捻られるとともに湾曲されて発光素子３６ａ２に接続される。これにより、光ファイバ心線２２ｃと光ファイバ心線２２ｄとの光路長が略等しくされている。
【００５１】
また、本実施形態においては、上記の光ファイバ心線２２の第１のピッチをもって整列された領域と、第２のピッチをもって整列された領域（ファイバ支持部４２で支持された領域）が、光ファイバ心線２２の配列方向に垂直な方向にオフセットされており、上記のように光ファイバを捻るための余長領域を確保することが容易である。
【００５２】
以上、説明した第１実施形態にかかる光コネクタモジュール１０によれば、送信用の光ファイバ心線２２ａ，２２ｂと受信用の光ファイバ心線２２ｃ，２２ｄのそれぞれが一端側から他端側との間で並び順が反転するように捻られているので、一端側と他端側とで、送信用の光ファイバ心線２２ａ、２２ｂの並び順および受信用の光ファイバ心線２２ｃ，２２ｄの並び順が反転されている。
【００５３】
このため、光ケーブル２０の両端に同一のコネクタ基板３３を用いることができるので、製造コストを低減することができる。また、並び順が反転するように捻るという簡単な手法で、一端側と他端側の光ファイバ心線２２の並び順を同一に揃えることができるので、光コネクタモジュール１０の組立が容易であり、製造コストを低減することができる。
【００５４】
また、複数の送信用の光ファイバ心線２２ａ，２２ｂと複数の受信用の光ファイバ心線２２ｃ，２２ｄとが束ねられて光ファイバテープ心線２１とされているので、側圧に対して耐性の高い光コネクタモジュール１０を提供することができる。
【００５５】
さらに、送信用の光ファイバ心線２２ａ，２２ｂおよび受信用の光ファイバ心線２２ｃ，２２ｄは双方ともに、他端側で捻る構成とした。このため、製造時に作業者は、送信用の光ファイバ２２ａ，２２ｂおよび受信用の光ファイバ２２ｃ，２２ｄを区別することなく、双方の光ファイバを捻ればよいので、作業が容易である。
【００５６】
（第２実施形態）
次に、本発明に係る第２実施形態の光コネクタモジュールを、図面を参照して説明する。なお、前述した第１実施形態に係る光コネクタモジュール１０と共通する部位には同じ符号を付して、重複する説明を省略することとする。
【００５７】
図６は、第２実施形態にかかる光コネクタモジュール１０Ａにおける受発光素子３６と光ファイバ心線２２の接続を示す平面図である。図６に示したように、第２実施形態にかかる光コネクタモジュール１０Ａでは、送信用の光ファイバ心線２２ａ，２２ｂは他方側で捻られており、受信用の光ファイバ心線２２ｃ，２２ｄは一方側で捻られている。
【００５８】
このように、送信用の光ファイバ心線２２ａ，２２ｂと、受信用の光ファイバ心線２２ｃ，２２ｄとが、一方側および他方側の相異なる箇所で捻られていても、一端側と他端側とで、送信用の光ファイバ心線２２ａ、２２ｂの並び順および受信用の光ファイバ心線２２ｃ、２２ｄの並び順を反転させることができる。
【００５９】
このため、光ケーブル２０の両端に同一のコネクタ基板３３を用いることができるので、製造コストを低減することができる。また、並び順が反転するように捻るという簡単な手法で、一端側と他端側の光ファイバ心線２２の並び順を同一に揃えることができるので、光コネクタモジュール１０の組立が容易であり、製造コストを低減することができる。
【００６０】
また、本実施形態に係る光コネクタモジュール１０Ａを作成する際、作業者は、一端側および他端側を区別することなく、送信用の光ファイバ心線２２または受信用の光ファイバ心線２２を捻ればよいので、製造が容易である。即ち、一方側および他方側の相異なる箇所で捻られているので、コネクタ基板３３を所定方向に向けたとき、送信用の光ファイバ心線２２または受信用の光ファイバ心線２２の同じ側を捻ればよいので、作業者は、一端側および他端側を区別する必要がない。
【００６１】
なお、本発明の光コネクタモジュールは、前述した各実施形態に限定されるものでなく、適宜な変形，改良等が可能である。
例えば、前述した各実施形態においては、４心の光ファイバテープ心線２１を有する光ケーブル２０を用いる場合について説明したが、４心以上の光ファイバテープ心線を用いる場合にも同様に適用可能である。また、光ケーブル２０中に、光ファイバ心線のほかに電線を含ませた構成としてもよい。
【符号の説明】
【００６２】
１０：光コネクタモジュール、２０：光ケーブル、２１：光ファイバテープ心線、２２：光ファイバ心線、３０：コネクタ、３０Ａ：一端側コネクタ、３０Ｂ：他端側コネクタ、３３：コネクタ基板、３６：受発光素子、４１：レンズアレイ部品
【図１】
0005692144.tif 000002
【図２】
0005692144.tif 000003
【図３】
0005692144.tif 000004
【図４】
0005692144.tif 000005
【図５】
0005692144.tif 000006
【図６】
0005692144.tif 000007